(57)【要約】      （修正有）【課題】早朝・夕刻・夜間の海釣り等で、ランニングコストが低く、安全に効果的な釣果ができる光る釣り竿の提供。【解決手段】釣竿は鉄製の芯金（マンドレル）１にカーボン繊維等を熱処理しながら何回も巻きつけて釣り竿の本体部分（ブランクス竿）５を作成する最終の巻きつけカーボン繊維（プリプレグ）２に、超微粒蓄光パウダーをエアーガン３で吹き付け塗装して光る釣り竿を作成する。【選択図】図１
2016220665.tif 000002
【特許請求の範囲】
【請求項１】
超微粒蓄光パウダーを釣竿本体のカーボン素材に吹付け塗装した釣竿。
【請求項２】
超微粒蓄光パウダーを配合した蓄光塗料を使用して、釣竿本体のカーボン素材に塗装または印刷した釣竿。
【請求項３】
超微粒蓄光パウダーを配合した蓄光塗料を使用して、釣竿のロゴ・商品名・デザイン等の被膜フィルム部分に塗装または印刷した釣竿。
【請求項４】
超微粒蓄光パウダーを配合した蓄光塗料を使用して紙や不織布に塗装または印刷し、この紙や不織布をロゴ・商品名・デザイン等の被膜フィルム部分に張り付けた釣竿。
【請求項５】
超微粒蓄光パウダーを配合した蓄光塗料を使用して、釣竿のグリップ部分に塗装または印刷した釣竿。
【請求項６】
蓄光フィルム・蓄光シート・蓄光テープ・蓄光ビーズ・蓄光糸・蓄光マニキュアまたは蓄光和紙を釣竿の全部又は一部に使用した釣竿。
【発明の詳細な説明】
【技術分野】
【０００１】  この発明は、蓄光材（蓄光塗料）の使用により釣竿の全部または一部を発光させることができる釣竿に関するものである。
【背景技術】
【０００２】  従来、魚が餌を食べることが多い早朝・夕刻・夜間に合わせて効果的な釣果を目指す海釣り等を行うための釣竿には、電池・配線・ライトを各使用して釣竿の先端が光る電装型の釣竿は存在していたが、蓄光材（蓄光塗料を含む、以下同じ）を使用することにより釣竿の全部又は一部分を発光させることができる釣竿は存在していなかった。
【先行技術文献】
【０００３】  「特許情報プラットホーム」で検索しても、蓄光材使用の釣竿は存在しなかった。
【発明の概要】
【発明が解決しようとする課題】
【０００４】これには次のような欠点があった。
（イ）  従来、魚が餌を食べることが多い早朝・夕刻・夜間に合わせて効果的な釣果を目指して海釣り等を行う際には、釣竿は基本的に光らないため、▲１▼釣竿が他の釣人に当たって、怪我をさせたり、▲２▼釣竿どうしが衝突して、その損傷の恐れや釣糸が絡まる虞があったり、▲３▼釣道具の準備作業や撤収作業が効率的に行えなかったり、▲４▼また、釣竿を持って移動する際には、釣竿が他人や他人所有物に衝突したり、▲５▼さらに万一の遭難時に、釣人の所在が分かりにくく、救助が困難ないし不可能になるという問題があった。
（ロ）  電池・配線・ライトを各使用して釣竿の先端部分が光る電装型の釣竿は、▲１▼海水に浸かって、ショート・故障することも多く、また、釣竿の先端が光るだけであるので、▲１▼釣竿が他の釣人に当たって、怪我をさせたり、▲２▼釣竿どうしが衝突して、その損傷の恐れがあったり、▲３▼釣道具の準備作業や撤収作業が効率的に行えなかったり、▲４▼また、釣竿を持って移動する際には、釣竿が他人や他人所有物に衝突したり、▲５▼さらに万一の遭難時に、釣人の所在が分かりにくく、救助が困難ないし不可能になり、▲６▼電池により常時光っているので、そのランニングコストが高いという問題があった。
本発明は、以上のような欠点をなくすためになされたものである。
【課題を解決するための手段】
【０００５】（イ）  釣竿には、延べ竿（接ぎ目のない一本の竿）、並継ぎ竿（継ぎ目を継いで一本の竿に組み立てるもの）、振出し竿（中空になった竿の中に細い竿が内蔵され、これを引っ張って伸ばすことにより組み立てる竿）等の種類があるが、今日一般的には、釣竿の本体はカーボン素材で作られている。
他方、蓄光材は、俗に「夜光」とも呼ばれ、太陽光や蛍光灯などの光エネルギー（紫外線）を吸収して、暗闇で徐々に光を放出する材料である。
従前の蓄光材では、常温での印刷・塗装を行うことができず、釣竿本体のカーボン素材に吹付け塗装すること等ができなかった。（従前の蓄光塗料を塗装するために熱硬化処理を行うと、釣竿本体のカーボン素材が固くなってしまう。）
しかし、先日、超微粒パウダー状の蓄光材が開発・市販され、この超微粒蓄光パウダーは、従前のパウダー状の蓄光材と異なり、常温での印刷・塗装を行っても、輝度・残光特性が優秀であることが証明されている。
今般、かかる超微粒蓄光パウダーを釣竿本体のカーボン素材に吹付け塗装することに成功した。
その結果、携帯用のブラックライト（僅かに目で見える長波長の紫外線を放射するライトで、ブラックライトを当てた物体はその中に含まれる蛍光体が発光するもの）により１秒足らずの紫外線を放射しただけで、４０分間位も暗闇で徐々に光を放出することができるようになった。
そこで、上記釣竿の種類を問わず、超微粒蓄光パウダーで吹付け塗装したカーボン素材を使用した釣竿（ブランクス竿）を作成する。
（ロ）  また、常温での印刷・塗装を行っても、輝度・残光特性が優秀である超微粒蓄光パウダーを配合した市販の蓄光塗料を使用して、釣竿本体のカーボン素材に、シゴキ塗装・ローラ刷毛塗装またはスクリーン印刷することも可能である。
かかる超微粒蓄光パウダーを配合した市販の蓄光塗料を使用して、シゴキ塗装・ローラ刷毛塗装またはスクリーン印刷したカーボン素材を使用した釣竿（ブランクス竿）を作成する。
（ハ）  ただ、このように作成した釣竿（ブランクス竿）だけでは、釣竿の外装面に印刷したロゴ・商品名・デザイン等の被膜フィルム部分は光らない。
そこで、（あ）超微粒蓄光パウダーを配合した市販の蓄光塗料を使用して釣竿にロゴ・商品名・デザイン等の被膜フィルム部分を吹付け塗装またはローラ刷毛塗装すること、（い）超微粒蓄光パウダーを配合した市販の蓄光塗料を使用して釣竿のロゴ・商品名・デザイン等の被膜フィルム部分をスクリーン印刷すること、（う）超微粒蓄光パウダーを配合した市販の蓄光塗料を使用して紙や不織布にロゴ・商品名・デザイン等をスクリーン印刷または塗装し、かかる紙や不織布を釣竿に張り付け、さらにクリアコートすることにより、釣竿のロゴ・商品名・デザイン等の被膜フィルム部分も光るようになる。
このような釣竿のロゴ・商品名・デザイン等の被膜フィルム部分も光る釣竿を作成する。
（ニ）  釣竿のグリップ部分（セノソフトというゴムで成型されている物が多いが、ＥＶＡ即ち、発泡ゴムで成型されている物もある）にも、上記超微粒蓄光パウダーを配合した市販の蓄光塗料を使用して、常温での印刷・塗装を行うことができる。
そこで、上記釣竿の種類を問わず、釣竿のグリップ部分が光る釣竿を作成する。
（ホ）  蓄光材により作成された市販の蓄光フィルム（市販の蓄光シート・蓄光テープを含む、以下同じ）を釣竿の被膜フイルムとして活用したり、釣竿の本体部分やグリップ部分に張り付けた（接着した）りすれば、上記（イ）及び（ロ）記載の、上記釣竿の種類を問わず、超微粒蓄光パウダーを使用して釣竿本体部分及びロゴ・商品名・デザイン等の被膜フィルム部分が光る釣竿と同様の効果を得ることができる。
かかる蓄光フィルムを接着剤等で張り付けた釣竿を作成する。
（ヘ）  蓄光材により作成された市販の蓄光ビーズ（光をため込んで、暗いところで発行するビーズ）を、釣竿本体部分の全部又は一部や釣竿ガイド（釣竿に固定したリールの釣糸を釣竿ガイドの中空部分に通して、釣竿と釣糸を一体化して釣竿を使用するため、釣竿本体部分数か所及び釣竿先端部分に固定されたドーナツ状のパーツ）又はグリップ部分に接着剤や糸等で固定すれば、部分的ではあるが、上記（イ）及び（ロ）記載の、上記釣竿の種類を問わず、超微粒蓄光パウダーを使用して釣竿本体部分及びロゴ・商品名・デザイン等の被膜フィルム部分が光る釣竿と同様の効果を得ることができる。
かかる蓄光ビーズを釣竿の全部又は一部に使用した釣竿を作成する。
（ト）  蓄光材により作成された市販の蓄光糸（光をため込んで、暗いところで発光する糸）を、リールシート（リールを装着固定するパイプ等）や上記釣竿ガイドを留めているスレッド（固定用糸）として、さらに釣竿本体部分の一部・グリップ部分に使用すれば、部分的ではあるが、上記（イ）及び（ロ）記載の、上記釣竿の種類を問わず、超微粒蓄光パウダーを使用して釣竿本体部分及びロゴ・商品名・デザイン等の被膜フィルム部分が光る釣竿と同様の効果を得ることができる。
かかる蓄光糸を釣竿の全部又は一部に使用した釣竿を作成する。
（チ）  蓄光材が配合されている市販の蓄光マニキュアを、釣竿ガイド等仕様可能部位に塗り付け、トップコートした釣竿を作成すれば、部分的ではあるが、上記（イ）及び（ロ）記載の、上記釣竿の種類を問わず、超微粒蓄光パウダーを使用して釣竿本体部分及びロゴ・商品名・デザイン等の被膜フィルム部分が光る釣竿と同様の効果を得ることができる。
かかる蓄光マニキュアを釣竿の全部又は一部に使用した釣竿を作成する。
（リ）  蓄光材を混入した市販の蓄光和紙を釣竿の本体部分やグリップ部分に張り付け、トップコートした釣竿を作成すれば、上記（イ）及び（ロ）記載の、上記釣竿の種類を問わず、超微粒蓄光パウダーを使用して釣竿本体部分及びロゴ・商品名・デザイン等の被膜フィルム部分が光る釣竿と同様の効果を得ることができる。
かかる蓄光和紙を釣竿の全部又は一部に接着剤等で張り付けた釣竿を作成する。
本発明は、以上の構成よりなる、蓄光材使用の各釣竿である。
【発明の効果】
【０００６】（イ）  超微粒蓄光パウダーで吹付け塗装または超微粒蓄光パウダーを配合した蓄光塗料を使用して、塗装または印刷したカーボン素材を使用した釣竿及び、上記釣竿のロゴ・商品名・デザイン等の被膜フィルムも蓄光材により光る釣竿（ブランクス竿）は、ブラックライトにより１秒足らずの紫外線を放射しただけで４０分間位も暗闇で徐々に光を放出することができるので、早朝・夕刻・夜間に合わせ効果的な釣果を目指して海釣り等を行う際に、▲１▼釣竿が他の釣人に当たって、怪我をさせる危険性が低下し、▲２▼釣竿どうしが衝突して、その損傷の危険性が低下し、▲３▼早朝・夕刻・夜間に、釣道具の準備作業や撤収作業が効率的に行えるようになり、▲４▼また、釣竿を持って移動する際には、釣竿が他人や他人所有物に衝突する危険性が低下し、▲５▼さらに万一の遭難時に、釣人の所在が分かり易く、救助が容易・的確に行えるようになり、▲６▼また、上記▲１▼ないし▲５▼のいずれの場合も、携帯用ブラックライトにより１秒足らずの紫外線を放射しただけで、４０分間位も暗闇で徐々に光を放出するので、ランニングコストは著しく低く抑えることができるようになった。
（ロ）  釣竿のグリップ部分に上記超微粒蓄光パウダーを使用して印刷または塗装を行った釣竿は、部分的ではあるが、上記（イ）と同様、早朝・夕刻・夜間に合わせて効果的な釣果を目指して海釣り等を行う際の、事故や危険性の低下・遭難時の救助容易性の確保・ランニングコストの低下が可能になった。
（ハ）  蓄光フィルムを釣竿の被膜フイルムとして使用したり、釣竿本体部分に接着剤等で張り付けた（接着した）りした釣竿は、上記（イ）（ロ）と同様、早朝・夕刻・夜間に合わせて効果的な釣果を目指して海釣り等を行う際の、事故や危険性の低下・遭難時の救助容易性の確保・ランニングコストの低下が可能になった。
（ニ）  蓄光ビーズを釣竿本体部分、釣竿ガイド、またはグリップ部分に接着剤や糸等で固定した釣竿は、部分的ではあるが、上記（イ）ないし（ハ）と同様、早朝・夕刻・夜間の海釣り等の際の、事故や危険性の低下・遭難時の救助容易性の確保・ランニングコストの低下が可能になった。
（ホ）  蓄光糸をリールシート・釣竿ガイド・釣竿本体部分・グリップ部分等に巻き付けた釣竿は、部分的ではあるが、（イ）ないし（ニ）と同様、早朝・夕刻・夜間の海釣り等の際の、事故や危険性の低下・遭難時の救助容易性の確保・ランニングコストの低下が可能になった。
（ト）  蓄光材が配合されている市販の蓄光マニキュアを、釣竿ガイド等仕様可能部位に塗り付け、トップコートした釣竿を作成すれば、部分的ではあるが、（イ）ないし（ホ）と同様、早朝・夕刻・夜間の海釣り等の際の、事故や危険性の低下・遭難時の救助容易性の確保・ランニングコストの低下が可能になった。
（チ）  紙すきの際に蓄光材を混入して作成された市販の蓄光和紙を釣竿の本体部分やグリップ部分に張り付け、トップコートした釣竿を作成すれば、部分的ではあるが、（イ）ないし（ホ）と同様、早朝・夕刻・夜間の海釣り等の際の、事故や危険性の低下・遭難時の救助容易性の確保・ランニングコストの低下が可能になった。
【図面の簡単な説明】
【０００７】
【図１】  鉄製の芯金（マンドレル）にカーボン繊維（プリプレグ）を巻きつけて釣竿の本体部分（ブランクス竿）を作成中の竿及びエアスプレーガンで超微粒蓄光パウダーを吹付け塗装している様子が分かる斜視図である。
【図２】  鉄製の芯金（マンドレル）にカーボン繊維（プリプレグ）を巻きつけて作成した釣竿の本体部分（ブランクス竿）に、超微粒蓄光パウダーを配合した蓄光塗料をローラー刷毛で塗装している様子が分かる斜視図である。
【図３】  超微粒蓄光パウダーを配合した蓄光塗料をローラ刷毛塗装した被膜フィルム部分を釣竿（ブランクス竿）に張り付けている様子が分かる斜視図である。
【図４】  超微粒蓄光パウダーを配合した蓄光塗料をスクリーン印刷した紙を、釣竿（ブランクス竿）のロゴ・商品名・デザイン等の被膜フィルム部分に張り付けている様子が分かる斜視図である。
【図５】  釣竿のグリップ部分に超微粒蓄光パウダーを配合した蓄光塗料をローラー刷毛塗装している様子が分かる斜視図である。
【図６】  釣竿の本体部分に蓄光フィルムを張り付ける様子が分かる斜視図である。
【図７】  蓄光ビーズを釣竿ガイドに接着剤で固定した釣竿の斜視図である。
【図８】  蓄光糸を釣竿のリールシート、釣竿ガイドに巻き付けた釣竿の斜視図である。
【図９】  蓄光マニキュアを、釣竿ガイドに塗り付けしている様子が分かる斜視図である。
【図１０】  蓄光和紙を釣竿本体部分に張り付けている様子が分かる斜視図である。
【発明を実施するための形態】
【０００８】以下、本発明を実施するための形態について説明する。
（イ）  超微粒蓄光パウダーを釣竿本体のカーボン素材に吹付け塗装する方法について
釣竿の本体部分（ブランクス竿）は、鉄製の芯金（マンドレル）にカーボン繊維（プリプレグ）を熱処理しながら何回も巻きつけて作成するものである（何回巻いて作成するかは、竿の種類・用途等により異なる）が、かかるカーボン繊維（エポキシ樹脂等）は粘着性があるので、最終の巻きつける部分に、超微粒蓄光パウダーをエアスプレーガンで吹付け塗装して、釣竿の本体部分（ブランクス竿）が光る（輝度・残光特性が優秀である）釣竿を作成する。
（ロ）  超微粒蓄光パウダーを配合した蓄光塗料を使用して、釣竿本体のカーボン素材にシゴキ塗装・ローラ刷毛塗装ないしスクリーン印刷する方法について
超微粒蓄光パウダーを配合した蓄光塗料は、上記のとおり、従前のパウダー状の蓄光材と異なり、常温での印刷・塗装を行っても、輝度・残光特性が優秀であることが証明されている。
そこで、鉄製の芯金（マンドレル）にカーボン繊維（プリプレグ）を熱処理しながら何回も巻きつけて釣竿の本体部分（ブランクス竿）を作成した後、被膜フィルムを張る前に、カーボン繊維（プリプレグ）の外側に超微粒蓄光パウダーを配合した蓄光塗料をシゴキ塗装・ローラ刷毛塗装ないしスクリーン印刷して、釣竿の本体部分（ブランクス竿）が光る（輝度・残光特性が優秀である）釣竿を作成する。
（ハ）  釣竿のロゴ・商品名・デザイン等の被膜フィルム部分が光る釣竿の作成方法について
（あ）  超微粒蓄光パウダーを配合した市販の蓄光塗料を使用して釣竿（ブランクス竿）にロゴ・商品名・デザイン等の被膜フィルム部分に吹付け塗装・ローラ刷毛塗装ないしスクリーン印刷し、釣竿のロゴ・商品名・デザイン等の被膜フィルム部分が光る（輝度・残光特性が優秀である）釣竿を作成する。
（い）  超微粒蓄光パウダーを配合した市販の蓄光塗料を紙や不織布にロゴ・商品名・デザイン等の被膜フィルム部分をスクリーン印刷し、かかる紙や不織布を釣竿に張り付け、さらにクリアコートすることにより、釣竿のロゴ・商品名・デザイン等の部分も光る（輝度・残光特性が優秀である）釣竿を作成する。
（ニ）  グリップ部分が光る釣竿の作成方法について
釣竿のグリップ部分にも、超微粒蓄光パウダーを配合した市販の蓄光塗料を使用して、吹き付け塗装またはローラー刷毛による塗装ないしスクリーン印刷を行い、上記釣竿の種類を問わず、釣竿のグリップ部分が光る釣竿を作成する。
（ホ）  蓄光フィルムを釣竿本体部分・グリップ部分に接着した釣竿の作成について
市販されている蓄光フィルムは、裏面の粘着テープ等により他の物に接着することができる。
そこで、市販の蓄光フィルムを釣竿本体部分（先端部分から手元部分まで）・グリップ部分に接着しやすい大きさに切断し、これらを釣竿本体部分を巻き込みながら蓄光フィルムを釣竿本体部分・グリップ部分に接着して、釣竿を作成する。
（ヘ）  蓄光ビーズを釣竿本体部分や釣竿ガイドに固定した釣竿について
市販されている蓄光ビーズには、中央部分に穴が開いており糸で他の物に固定するタイプと、中央部分に穴が開いておらず接着剤で他の物に接着するタイプがある。そこで、市販の蓄光ビーズを糸ないし接着剤等で、釣竿本体部分の全部又は釣竿ガイドに各固定した釣竿を作成する。
（ト）  蓄光糸をリールシートや釣竿ガイド等に巻き付けた釣竿について
市販されている蓄光糸をリールシート（リールを装着固定するパイプ）や上記釣竿ガイドを留めているスレッド（固定用糸）として各使用したり、さらに、釣竿本体部分の全部または一部、さらにグリップ部分に使用した釣竿を作成する。
（チ）  蓄光マニキュアを使用した釣竿について
蓄光材が配合されている市販の蓄光マニキュアを、釣竿ガイド等仕様可能部位に塗り付け、トップコートした釣竿を作成する。
（リ）  蓄光和紙を使用した釣竿について
紙すきの際に蓄光材を混入して蓄光和紙を作成し、釣竿の本体部分やグリップ部分に張り付け、トップコートした釣竿を作成する。
本発明は、以上のような構造である。
これを使用するときは、
▲１▼  超微粒蓄光パウダーを釣竿本体のカーボン素材に吹付け塗装した釣竿
▲２▼  超微粒蓄光パウダーを配合した蓄光塗料をカーボン繊維（プリプレグ）の外側に塗装・印刷した釣竿
▲２▼  超微粒蓄光パウダーを配合した蓄光塗料を釣竿のロゴ・商品名・デザイン等の被膜フィルム部分に塗装・印刷した釣竿
▲３▼  超微粒蓄光パウダーをグリップ部分に塗装・印刷した釣竿
▲４▼  蓄光フィルム・蓄光ビーズ・蓄光糸・蓄光マニキュアまたは蓄光和紙を釣竿の全部または一部に使用した釣竿
の各蓄光材使用部分に対し、携帯のブラックライトにより紫外線を放射し、４０分間位も暗闇で徐々に光を放出することができるようにして、その後も、光の放出が減少すれば、ブラックライトにより紫外線を放射し、より安全に魚釣りを行うことができる。
（チ）  なお、上記蓄光ビーズや蓄光糸を使用した各釣竿は、装飾としても効果的である。
【符号の説明】
【０００９】  １  鉄製の芯金（マンドレル）
２  カーボン繊維（プリプレグ）
３  超微粒蓄光パウダーの入ったエアスプレーガン
４  ロール刷毛
５  釣竿本体（ブランクス竿）
６  被膜フィルム部分
７  スクリーン印刷した紙
８  グリップ部分
９  蓄光フィルム
１０  蓄光ビーズ
１１  釣竿ガイド
１２  蓄光糸
１３  リールシート
１４  蓄光マニキュア
１５  蓄光和紙
【図１】
2016220665.tif 000003
【図２】
2016220665.tif 000004
【図３】
2016220665.tif 000005
【図４】
2016220665.tif 000006
【図５】
2016220665.tif 000007
【図６】
2016220665.tif 000008
【図７】
2016220665.tif 000009
【図８】
2016220665.tif 000010
【図９】
2016220665.tif 000011
【図１０】
2016220665.tif 000012